(57)【特許請求の範囲】
【請求項１】
文字板の上面側を回転して該文字板上の意匠を指示する指針において、
光源からの光に基づいて光輝する細長い線状の指示部及び前記指示部の基端部に連接され前記光源からの光を導入する光導入部から構成される指針本体と、
円筒型の円筒カバー部を有し、前記光導入部の上方を覆うように取り付けられる指針キャップと、
円盤状の円盤部を有し、前記光導入部の周囲を覆うように取り付けられるカバー部材と、を備え、
前記光導入部以外に導入される前記光源からの光が前記カバー部材と前記文字板との間でのみ繰り返し反射されるように、前記カバー部材の円盤部における前記文字板に対向する面及び前記指針キャップの円筒カバー部における前記文字板に対向する開口部縁部が共に凹面状に形成され、前記カバー部材の円盤部における凹面状の面の外周縁と前記円筒カバー部の開口部縁部の内周縁が一致している
ことを特徴とする指針。
【請求項２】
請求項１記載の指針において、
前記カバー部材の円盤部における凹面状の面は、傾斜により形成され、前記指針キャップの円筒カバー部における凹面状の前記開口部縁部は、前記カバー部材の円盤部の傾斜より大きな傾斜により形成されている
ことを特徴とする指針。
【請求項３】
請求項１又は請求項２記載の指針において、
前記カバー部材は、
前記凹面状の部位以外に、前記指示部における前記文字板に対向する部位を覆うような前記指示部に対応した細長い板状の指示部覆い部を更に有する、
ことを特徴とする指針。
【発明の詳細な説明】
【技術分野】
【０００１】
本発明は、車両等に搭載されるアナログ式の計器に用いられる指針に関し、特に、光源からの光を受けて夜間等に光輝する指針に関する。
【背景技術】
【０００２】
車両等に搭載されるアナログ式の計器では、文字板上を回転する指針が夜間等に光輝するようになっている。図５及び図６は第１の従来例（特許文献１）に係り、図７及び図８は第２の従来例（特許文献２）に係るものである。すなわち、図５は、第１の従来例に係る指針の分解斜視図である。図６は、図５の指針を計器に組み込んだ状態を示す要部断面図である。また、図７は、第２の従来例に係る指針の分解斜視図である。図８は、図７の指針を計器に組み込んだ状態を示す要部断面図である。
【０００３】
第１の従来例に係る指針８０は、図５及び図６に示すように、その裏面側に設けられた光導入部８１ａに導入される光源（不図示）からの光Ｒを、その表面８１ｂ側に供給して光輝する指針本体８１を有し、更に指針本体８１の指示部８１ｂ以外を覆う遮光性の指針キャップ８２と、光導入部８１ａの周囲を覆う遮光性の裏カバー部材８３を有する。
【０００４】
裏カバー部材８３には、平板状の文字板４の裏面側に配置されたムーブメント（不図示）の駆動軸に挿入される軸部８３ａが設けられている。突出した光導入部８１ａは、裏カバー部材８３に設けられた開口部８３ｂにはめ込まれ、指針本体８１の取付孔８１ｃ及び裏カバー部材８３の取付孔８３ｃに、指針キャップ８２の取付ピン８２ｃが挿入されて、指針８０は一体化される。また、図６に示すように、文字板４に設けられた軸孔４ａを介して、光源からの光Ｒは、光導入部８１ａに導入されるようになっている。
【０００５】
また、第２の従来例に係る指針９０は、図７及び図８に示すように、指針キャップ９１が指示部９２の上側及び両横側に覆い被さるようになっている。指針キャップ９１にの上面には、スリット９１２が設けられている。指示部９２は、下方に突出する光導入部９２ａに導入される光源（不図示）からの光を導光して、指針キャップ９１のスリット９１２の部分を光輝しているように視認させる。指示部９２は、ムーブメント（不図示）の駆動軸に挿入される軸部９３ａが一体化された裏カバー部材９３によって、指針キャップ９１に組み付けられている。
【０００６】
指針キャップ９１の先端部９１１は、図８に示すように、細長い指示部９２が変形するのを防止するために、指示部９２の先端がはめ込み可能なように、折り曲げられている。先端部９１１によって、指示部９２の先端が下方に変形することを防止して、指示部９２を導光されてきた光Ｒ１の先端からの漏れを防止している。
【特許文献１】特願２００４−３５２９８７
【特許文献２】特願２００４−１５１７６１
【発明の開示】
【発明が解決しようとする課題】
【０００７】
ところが、上記第１の従来例によると、図６に示すように、光源からの光Ｒは、完全な平行光ではないので、光導入部８１ａの周りの裏カバー部材８３によって反射され、更に、文字板４にて再度反射されたりして、図６中Ｒ２で示すように、指針キャップ８２の裾部から外部に漏れてしまう。すなわち、第１の従来例によると、指針キャップ８２の裾部周りの文字板４上にハレーションが発生して、意匠性及び視認性を損なってしまう。
【０００８】
また、上記第２の従来例によると、図８に示すように、指示部９２を導光されてきた光Ｒ１は、図８中Ｒ２で示すように、指針キャップ９１に覆われていない指示部９２の下面から文字板４側に漏れてしまう。すなわち、第２の従来例によると、細長い指示部９２に沿ったようなハレーションが文字板４上に発生して、意匠性及び視認性を損なってしまう。
【０００９】
よって本発明は、上述した現状に鑑み、ハレーションを低減し、意匠性及び視認性を向上させることができる指針を提供することを課題としている。
【課題を解決するための手段】
【００１０】
上記課題を解決するためになされた請求項１記載の指針は、文字板の上面側を回転して該文字板上の意匠を指示する指針において、光源からの光に基づいて光輝する細長い線状の指示部及び前記指示部の基端部に連接され前記光源からの光を導入する光導入部から構成される指針本体と、円筒型の円筒カバー部を有し、前記光導入部の上方を覆うように取り付けられる指針キャップと、円盤状の円盤部を有し、前記光導入部の周囲を覆うように取り付けられるカバー部材と、を備え、前記光導入部以外に導入される前記光源からの光が前記カバー部材と前記文字板との間でのみ繰り返し反射されるように、前記カバー部材の円盤部における前記文字板に対向する面及び前記指針キャップの円筒カバー部における前記文字板に対向する開口部縁部が共に凹面状に形成され、前記カバー部材の円盤部における凹面状の面の外周縁と前記円筒カバー部の開口部縁部の内周縁が一致していることを特徴とする。
【００１１】
請求項１記載の発明によれば、指針は、指示部及び光導入部から構成される指針本体と、円筒型の円筒カバー部を有し、光導入部の上方を覆うように取り付けられる指針キャップと、円盤状の円盤部を有し、光導入部の周囲を覆うように取り付けられるカバー部材と、を備えており、光導入部以外に導入される光源からの光がカバー部材と文字板との間でのみ繰り返し反射されるように、カバー部材の円盤部における文字板に対向する面及び指針キャップの円筒カバー部における文字板に対向する開口部縁部が共に凹面状に形成され、カバー部材の円盤部における凹面状の面の外周縁と円筒カバー部の開口部縁部の内周縁が一致している。よって、光導入部周りの漏れ光を低減することができる。
【００１２】
上記課題を解決するためになされた請求項２記載の指針は、請求項１記載の指針において、前記カバー部材の円盤部における凹面状の面は、傾斜により形成され、前記指針キャップの円筒カバー部における凹面状の前記開口部縁部は、前記カバー部材の円盤部の傾斜より大きな傾斜により形成されていることを特徴とする。
【００１３】
請求項２記載の発明によれば、カバー部材の円盤部における凹面状の面は、傾斜により形成され、指針キャップの円筒カバー部における凹面状の開口部縁部は、カバー部材の円盤部の傾斜より大きな傾斜により形成されているので、より一層、光導入部周りの漏れ光を低減することができる。
【００１４】
上記課題を解決するためになされた請求項３記載の指針は、請求項１又は請求項２記載の指針において、前記カバー部材は、前記凹面状の部位以外に、前記指示部における前記文字板に対向する部位を覆うような前記指示部に対応した細長い板状の指示部覆い部を更に有する、ことを特徴とする。
【００１５】
請求項３記載の発明によれば、カバー部材は、指示部における文字板に対向する部位を覆うような指示部覆い部を更に有するので、指示部周りの漏れ光も低減することができる。
【発明の効果】
【００１６】
請求項１記載の発明によれば、指針は、指示部及び光導入部から構成される指針本体と、円筒型の円筒カバー部を有し、光導入部の上方を覆うように取り付けられる指針キャップと、円盤状の円盤部を有し、光導入部の周囲を覆うように取り付けられるカバー部材と、を備えており、光導入部以外に導入される光源からの光がカバー部材と文字板との間でのみ繰り返し反射されるように、カバー部材の円盤部における文字板に対向する面及び指針キャップの円筒カバー部における文字板に対向する開口部縁部が共に凹面状に形成され、カバー部材の円盤部における凹面状の面の外周縁と円筒カバー部の開口部縁部の内周縁が一致しているよって、光導入部周りの漏れ光を低減することができる。したがって、ハレーションを低減し、意匠性及び視認性を向上させることができる。
【００１７】
請求項２記載の発明によれば、カバー部材の円盤部における凹面状の面は、傾斜により形成され、指針キャップの円筒カバー部における凹面状の開口部縁部は、カバー部材の円盤部の傾斜より大きな傾斜により形成されているので、より一層、光導入部周りの漏れ光を低減することができる。したがって、ハレーションをより低減し、意匠性及び視認性をより向上させることができる。
【００１８】
請求項３記載の発明によれば、カバー部材は、指示部における文字板に対向する部位を覆うような指示部覆い部を更に有するので、指示部周りの漏れ光も低減することができる。したがって、指針全体のハレーションを低減し、意匠性及び視認性を大きく向上させることができる。
【発明を実施するための最良の形態】
【００１９】
以下、本発明の実施の形態を図面に基づいて説明する。図１は、本発明一実施形態に係る指針の分解斜視図である。図２は、図１の指針を計器に組み込んだ状態を示す要部断面図である。なお、図１は、裏面側からみた指針の分解斜視図である。
【００２０】
図１に示すように、実施形態の指針１０は、細長い線状の指針本体１、指針キャップ２及びカバー部材３から構成される。
【００２１】
指針本体１は、導光性の材料からなり、その裏面側、すなわち、ドライバ等側からは視認されない側には、光導入部１ａが突設されている。この光導入部１ａに導入された光は、細長い指示部１ｂ内に導光される。また、指針本体１には、上記光導入部１ａ付近に、裏カバー部材３に指針本体１を固定するための固定部１ｄが設けられている。固定部１ｄには２つの固定用孔１ｄ１が設けられており、２つの固定用孔１ｄ１はそれぞれ裏カバー部材３の円盤部３ａの表面側に設けられた、図示しない２つの係止片に係合される。これによって、指針本体１は、裏カバー部材３に固定される。
【００２２】
指針キャップ２は、遮光性を有し、指針本体１の上面側以外、すなわち、ドライバ等に視認される側以外の部分を覆う。ドライバ等に視認される側には、細長いスリット２ｂ３（図２参照）が設けられている。指針キャップ２は、円筒型の円筒カバー部２ａと断面凹状の線状カバー部２ｂから構成される。
【００２３】
円筒カバー部２ａの開口部縁部２ａ１は、指針１０が組立られたときには、裏カバー部材３の裏面側と共に円筒カバー部２ａの裏側面を形成する。この円筒カバー部２ａの裏側面全体は、凹面となるように、すなわち、裏面側からみて、円筒カバー部２ａの外側面側が最も高くなるように、傾斜して形成されている。開口部縁部２ａ１の傾斜は、裏カバー部材３の傾斜よりもやや大きくなっている。開口部縁部２ａ１には、４つの係止片２ａ２が設けられており、指針１０が組み立てられたときには、裏カバー部材３の円盤部３ａの４つの係止部３ａ３と共に裏カバー部材３を固定する。
【００２４】
また、円筒カバー部２ａの底面２ａ３中央からは軸部２ｃが、円筒カバー部２ａの開口面から突き出るような長さで設けられており、その端部には、図示しないムーブメントの駆動軸が挿入される軸孔２ｃ１が設けられている。そして、指針全体がムーブメントによって駆動され回転されるようになっている。
【００２５】
一方、線状カバー部２ｂには、指針本体１の指示部１ｂの上面側を可視可能とするように、スリット２ｂ３（図２参照）が設けられている。また、線状カバー部２ｂの内縁部には、４つの係止片２ｂ２が設けられており、指針１０が組み立てられたときには、裏カバー部材３の指示部覆い部３ｂに係合する。
【００２６】
裏カバー部材３は、遮光性を有し、円盤状の円盤部３ａと細長い線状の指示部覆い部３ｂから構成される。円盤部３ａの裏面は、凹面となっており、その中央部には、指針キャップ２側の軸部２ｃが貫通するための貫通孔３ａ１が設けられている。また、指針本体１の光導入部１ａが円盤部３ａから裏面側に突き出るように、光導入部１ａに対応する箇所に光導入部貫通孔３ａ２が形成されている。そして、指針１０が組み立てられたときには、指針本体１の裏面側から突設された光導入部１ａの周囲を凹面で覆うようになっている。また、円盤部３ａの縁部には、指針キャップ２側の係止片２ａ２に対応する部分に、４つの係止部３ａ３が設けられている。
【００２７】
なお、図２に示すように、裏カバー部材３の円盤部３ａの表面には、指針１０の回転時のバランスをとるためのバランサ３ｆが保持部３ｅにて保持されている。また、裏カバー部材３の指示部覆い部３ｂは、指針１０が組み立てられたときには、線状カバー部２ｂの４つの係止片２ｂ２によって係止される。
【００２８】
このような構成の指針本体１、指針キャップ２及び裏カバー部材３が組み立てられてなる指針１０は、図２に示すように、軸部２ｃの軸孔２ｃ１が図示しないムーブメントの駆動軸に挿入されて、平面状の文字板４上の所定位置に保持される。指針本体１の光導入部１ａには、文字板４の裏面側に配置された光源５から発せられる光Ｒが供給される。この光Ｒの大部分は、指針本体１ｂ内部に導光されて、スリット２ｂ３を介して、指針１０が所定色で光輝させる。しかしながら、光Ｒの一部は、光導入部１ａに導入されることなく、光導入部１ａ以外の部分で反射されてハレーションの原因となりうる。また、指針本体１ｂの下部からの漏れ光もハレーションの原因となりうる。
【００２９】
このようなハレーションを低減させるための構造を図３及び図４を用いて以下に説明する。図３は、指針キャップ周りのハレーション低減効果を説明するための要部断面図である。図４は、指示部周りのハレーション低減効果を説明するための要部断面図である。
【００３０】
図３に示すように、光源からの光Ｒの一部は光導入部１ａに導入されず、裏カバー部材３の裏面で反射され、平板状の文字板４表面と裏カバー部材３裏面との間でのみ反射が繰り返される。補足すると、裏カバー部材３の裏面が凹面となり、更に、指針キャップ２の円筒カバー部２ａの開口側縁部２ａ１が、上述のように傾斜して形成されているので、光導入部１ａ付近全体が外側端部に向かうほど角度が大きくなる、すなわち、略球面状の凹面になっている。このため、光導入部１ａ以外に導入される光源からの光Ｒが、平板状の文字板４表面と裏カバー部材３裏面（指針キャップ２の縁部２ａ１も含む）との間でのみ反射が繰り返されることになる。したがって、指針キャップ２の裾部周りからの漏れ光、すなわち、ハレーションを低減することができる。
【００３１】
また、図４に示すように、裏カバー部材３の指示部覆い部３ｂは、線状の指示部１ｂの形状に対応して、指示部１ｂを裏面側から覆っているので、指示部１ｂの裏側面への漏れ光を防止することができる。補足すると、光導入部１ａから導入された光は、図４中Ｒ１で示すように、指示部１ｂ内部を進行していく。光Ｒ１の一部は、指示部１ｂの下面から漏れてしまうが、この光は、上記指示部覆い部３ｂに遮断されて、文字板４上には到達することがない。したがって、指示部１ｂ周りの漏れ光、すなわち、ここでのハレーションも低減することができる。
【００３２】
以上説明したように、本発明の実施形態によれば、指針キャップ２の周り及び指示部１ｂ周りのハレーションを低減させ、この指針を用いた計器の意匠性及び視認性を大きく向上させることができる。
【００３３】
なお、裏カバー部材３の裏面を凹面状にするだけでもハレーション低減効果は得られるが、指針キャップ２の縁部２ａ１も含めて凹面状にすることにより、より大きなハレーション低減効果が得られる。また、本発明は、ブラックフェースタイプの車載計器に適用すると、より顕著な効果が得られる。
【図面の簡単な説明】
【００３４】
【図１】本発明一実施形態に係る指針の分解斜視図である。
【図２】図１の指針を計器に組み込んだ状態を示す要部断面図である。
【図３】指針キャップ周りのハレーション低減効果を説明するための要部断面図である。
【図４】指示部周りのハレーション低減効果を説明するための要部断面図である。
【図５】第１の従来例に係る指針の分解斜視図である。
【図６】図５の指針を計器に組み込んだ状態を示す要部断面図である。
【図７】第２の従来例に係る指針の分解斜視図である。
【図８】図７の指針を計器に組み込んだ状態を示す要部断面図である。
【符号の説明】
【００３５】
１  指針本体
２  指針キャップ
３  カバー部材
１ａ  光導入部
２ａ１  縁部
３ｂ  指示部覆い部
【図１】
0004796843.tif 000002
【図２】
0004796843.tif 000003
【図３】
0004796843.tif 000004
【図４】
0004796843.tif 000005
【図５】
0004796843.tif 000006
【図６】
0004796843.tif 000007
【図７】
0004796843.tif 000008
【図８】
0004796843.tif 000009